(57)【要約】  髪留（１０）は、第１の部材および第２の部材（１２、１４）であり、第１の部材および第２の部材（１２、１４）が閉鎖状態と開放状態との間で枢動できるように、第１の部材の第１の面および第２の部材の第１の面（１６）の近傍でピボット固定された第１の部材および第２の部材（１２、１４）を備える。第１の開口および第２の開口（２８）が、閉鎖状態において第１の側の部材および第２の側の部材（１２、１４）の間に画定される。第１の弾性パッド（３３）が、第１の部材（１２）の第１の側の表面に設けられ、第２の弾性パッド（３５）が、第２の部材（１４）の第１の側の表面に設けられる。第１の弾性パッドおよび第２の弾性パッド（３３、３５）は、互いに近接する内表面（４０）にある相補的な隆起部（４２）を含み、第１の部材および第２の部材（１２、１４）が閉鎖状態にあるときに、隆起部（４２）同士が、第１の開口（２８）から第２の開口（２８）へと髪留（１０）を通過する髪（１１）を曲げるように係合する。【選択図】図１ａおよび図１ｂ
2019520124.tif 000002
【特許請求の範囲】
【請求項１】
第１の部材および第２の部材であり、前記第１の部材の第２の面が前記第２の部材の第２の面の近傍に配置される閉鎖状態と、前記第１の部材の前記第２の面と前記第２の部材の前記第２の面が互いに遠去けられた開放状態との間で、前記第１の部材および前記第２の部材が枢動できるように、前記第１の部材の第１の面および前記第２の部材の第１の面の近傍でピボット固定された第１の部材および第２の部材と；
前記閉鎖状態にあるときに前記第１の部材と前記第２の部材との間に画定される第１の開口および第２の開口と；
前記第１の部材の第１の表面に設けられた第１の弾性パッドと；
前記第２の部材の近接する第１の表面に設けられた第２の弾性パッドと；
を備える髪留であって、
前記第１の弾性パッドおよび前記第２の弾性パッドが、互いに近接する内表面にある相補的な隆起部を含み、前記第１の部材および前記第２の部材が閉鎖状態にあるときに、前記隆起部同士が、前記第１の開口から前記第２の開口へと前記髪留を通過する髪を曲げるように係合する、髪留。
【請求項２】
前記隆起部が、前記第１の部材の前記第１の面および前記第２の部材の前記第１の面の近傍から前記第１の部材の前記第２の面および前記第２の部材の前記第２の面の近傍に延びている、請求項１に記載の髪留。
【請求項３】
前記隆起部の横断面が、前記第１の弾性パッドおよび前記第２の弾性パッドそれぞれの前記内表面が、前記第１の開口および前記第２の開口の中央を通る軸線を横切って延びる波形構造を備えるような弓形である、請求項２に記載の髪留。
【請求項４】
前記第１の部材が半球状の第１の殻体を備え、前記第２の部材が半球状の第２の殻体を備え、もって、前記第１の殻体の第１の表面および前記第２の殻体の第１の表面が凹状の形となっており、反対側の第２の表面が凸状の形となっている、請求項２に記載の髪留。
【請求項５】
前記第１の弾性パッドおよび前記第２の弾性パッドのそれぞれが、前記第１の殻体または前記第２の殻体の凹状の前記第１の表面に受け入れられるような凸状の形である外表面を含む、請求項３に記載の髪留。
【請求項６】
前記第１の弾性パッドおよび前記第２の弾性パッドが、前記第１の弾性パッドおよび前記第２の弾性パッドの外表面にある対応する孔に受け入れられるように前記第１の表面から外側に延びる杭状部により、前記第１の殻体の前記第１の表面および前記第２の殻体の前記第１の表面に固定されている、請求項５に記載の髪留。
【請求項７】
前記第１の弾性パッドおよび前記第２の弾性パッドがシリコーン材料で作られている、請求項１〜６のうちいずれか一項に記載の髪留。
【請求項８】
前記第１の弾性パッドの端部表面および前記第２の弾性パッドの端部表面がそれぞれ、前記第１の弾性パッドおよび前記第２の弾性パッドが互いに押圧されるときに、上端面および下端面が、材料の弾性特性によって外側に膨らみ、略平坦になるように、互いに係合する前に凹状である、請求項１〜７のうちいずれか一項に記載の髪留。
【請求項９】
前記第１の殻体および前記第２の殻体のそれぞれが、前記第１の殻体および前記第２の殻体の対向する端部の近傍に凹み部分を含み、もって、前記髪留が前記閉鎖状態にあるときに、前記凹み部分同士が円形の第１の開口および第２の開口を画定するようになっている、請求項１〜８のうちいずれか一項に記載の髪留。
【請求項１０】
前記髪留が、前記第１の部材および前記第２の部材を前記閉鎖状態に保持するような掛止機構を含む、請求項１〜９のうちいずれか一項に記載の髪留。
【請求項１１】
前記掛止部材が、前記第１の殻体の内表面において前記第２の面の近傍に設けられた第１の溝に受け入れられる第１の端部と、前記第２の殻体の内表面に設けられた第２の溝に受け入れ可能な突出する第２の端部とを有する細長部材を備える、請求項１０に記載の髪留。
【請求項１２】
前記掛止部材の前記第２の端部が、前記髪留が前記閉鎖状態にされるときに、前記第２の溝に設けられた対応する切欠きに弾性的に係合する、前記第２の端部の外面にある突出部分を含む、請求項１１に記載の髪留。
【請求項１３】
前記第１の部材において前記第１の部材の前記第１の面の近傍に設けられた１つ以上の第１の円筒部と、前記第２の部材において前記第２の部材の前記第１の面の近傍に設けられた１つ以上の第２の円筒部とを備え、前記第１の円筒部および前記第２の円筒部が、ピンを受けるように整列可能な穴を含むヒンジ機構により、前記第１の面間のピボット連結がもたらされる、請求項１〜１２のうちいずれか一項に記載の髪留。
【請求項１４】
前記髪留は、紐が一対の髪留間に延びることができるように、前記紐の端部を固定できる連結部を前記髪留の外表面に備える、請求項１〜１３のうちいずれか一項に記載の髪留。
【請求項１５】
前記連結部が、前記第１の殻体の前記第２の表面から外側に延びるループ状部を備える、請求項１４に記載の髪留。
【発明の詳細な説明】
【技術分野】
【０００１】
本発明は、髪に固定される髪留に関する。
【背景技術】
【０００２】
見栄えを良くするために髪留を髪に固定することが知られている。そのような髪留を髪に固定する一般的な方法は、髪留に設けられた中央孔に数束の髪を単純に通すことである。そのような方法は、妥当な結果をもたらすが、髪の複数の部分を髪留に個々に通した後に、所定位置に髪留を固定するプロセスは、時間のかかる作業となることがある。
【発明の概要】
【発明が解決しようとする課題】
【０００３】
本発明は、髪に固定される髪留に関する。本発明の髪留は、髪留が所定位置に留まるように、髪に対する安定したグリップをもたらす容易な連結を可能にするように構成される。
【課題を解決するための手段】
【０００４】
本発明の第１の態様によれば、髪留であって、
第１の部材および第２の部材であり、第１の部材の第２の面が第２の部材の第２の面の近傍に配置される閉鎖状態と、第１の部材の第２の面と第２の部材の第２の面が互いに遠去けられた開放状態との間で、第１の部材および第２の部材が枢動できるように、第１の部材の第１の面および第２の部材の第１の面の近傍でピボット固定された第１の部材および第２の部材と；
閉鎖状態にあるときに第１の側の部材と第２の側の部材との間に画定される第１の開口および第２の開口と；
第１の部材の第１の表面に設けられた第１の弾性パッドと；
第２の部材の近接する第１の表面に設けられた第２の弾性パッドと；
を備え、
第１の弾性パッドおよび第２の弾性パッドが、互いに近接する内表面にある相補的な隆起部を含み、第１の部材および第２の部材が閉鎖状態にあるときに、隆起部同士が、第１の開口から第２の開口へと髪留を通過する髪を曲げるように係合する、髪留が提供される。
【０００５】
好ましくは、隆起部は、第１の部材の第１の面および第２の部材の第１の面の近傍から第１の部材の第２の面および第２の部材の第２の面の近傍に延びている。
【０００６】
好ましくは、隆起部の横断面は、第１の弾性パッドおよび第２の弾性パッドそれぞれの内表面が、第１の開口および第２の開口の中央を通る軸線を横切って延びる波形構造を備えるような弓形である。
【０００７】
好ましい実施形態において、第１の部材は半球状の第１の殻体を備え、第２の部材は半球状の第２の殻体を備え、もって、第１の殻体の第１の表面および第２の殻体の第１の表面は、凹状の形となっており、反対側の第２の表面は凸状の形となっている。
【０００８】
好ましくは、第１の弾性パッドおよび第２の弾性パッドのそれぞれは、第１の殻体または第２の殻体の凹状の第１の表面に受け入れられるような凸状の形である外表面を含む。
【０００９】
好ましくは、第１の弾性パッドおよび第２の弾性パッドは、第１の弾性パッドおよび第２の弾性パッドの外表面にある対応する孔に受け入れられるように第１の表面から外側に延びる杭状部により、第１の殻体の第１の表面および第２の殻体の第１の表面に固定されている。
【００１０】
好ましくは、第１の弾性パッドおよび第２の弾性パッドはシリコーン材料で作られている。
【００１１】
好ましくは、第１の弾性パッドの端部表面および第２の弾性パッドの端部表面はそれぞれ、第１の弾性パッドおよび第２の弾性パッドが互いに押圧されるときに、上端面および下端面が、材料の弾性特性によって外側に膨らみ、略平坦になるように、互いに係合する前に凹状である。
【００１２】
好ましくは、第１の殻体および第２の殻体のそれぞれは、第１の殻体および第２の殻体の対向する端部の近傍に凹み部分を含み、もって、髪留が閉鎖状態にあるときに、凹み部分同士が円形の第１の開口および第２の開口を画定するようになっている。
【００１３】
好ましい実施形態において、髪留は、第１の部材および第２の部材を閉鎖状態に保持するような掛止機構を含む。
【００１４】
好ましくは、掛止部材は、第１の殻体の内表面において第２の面の近傍に設けられた第１の溝に受け入れられる第１の端部と、第２の殻体の内表面に設けられた第２の溝に受け入れ可能な突出する第２の端部とを有する細長部材を備える。
【００１５】
一実施形態において、掛止部材の第２の端部は、髪留が閉鎖状態にされるときに、第２の溝に設けられた対応する切欠きに弾性的に係合する、第２の端部の外面にある突出部分を含む。
【００１６】
好ましくは、第１の面間のピボット連結は、第１の部材において第１の部材の第１の面の近傍に設けられた１つ以上の第１の円筒部と、第２の部材において第２の部材の第１の面の近傍に設けられた１つ以上の第２の円筒部とを備え、第１の円筒部および第２の円筒部が、ピンを受けるように整列可能な穴を含むヒンジ機構によってもたらされる。
【００１７】
一実施形態において、髪留は、紐が一対の髪留間に延びることができるように、紐の端部を固定できる連結部を髪留の外表面に備える。
【００１８】
好ましくは、連結部は、第１の殻体の第２の表面から外側に延びるループ状部を備える。
【００１９】
本発明は、例として以下の図面を参照して記述される。
【図面の簡単な説明】
【００２０】
【図１ａ】本発明による髪留の閉鎖状態における上面斜視図である。
【図１ｂ】図１ａの髪留の開放状態における上面斜視図である。
【図２】図１の髪留の分解図である。
【図３ａ】図１の髪留の第１の側面図である。
【図３ｂ】図１の髪留の正面断面図である。
【図３ｃ】図１の髪留の第２の側面図である。
【図３ｄ】図１の髪留の上面図である。
【図３ｅ】図３ｄの詳細Ａの近接図である。
【図４ａ】髪留の閉鎖状態における上面斜視図である。
【図４ｂ】髪留の開放状態における上面斜視図である。
【図４ｃ】開放状態において髪を受けている髪留の上面斜視図である。
【図４ｄ】閉鎖状態にされて髪を固定している髪留の上面斜視図である。
【図５ａ】図１の髪留の開放状態における下面斜視図である。
【図５ｂ】図１の髪留の開放状態における上面斜視図である。
【図５ｃ】図１の髪留の閉鎖状態における上面図である。
【図６ａ】弾性パッドの隆起部同士の係合を示す側面図である。
【図６ｂ】髪留の弾性パッド間に係合された髪の側面図である。
【図７ａ】本発明による髪留の第２の実施形態の正面図である。
【図７ｂ】図７ａの髪留の側面図である。
【図８ａ】図７の髪留の第１の上面斜視図である。
【図８ｂ】図７の髪留の第２の上面斜視図である。
【図９】図７の髪留間を連結している紐の図である。
【発明を実施するための形態】
【００２１】
図を参照すると、第１の部材１２および第２の部材１４を備える髪留１０が示されている。第１の部材１２および第２の部材１４は、第１の部材１２および第２の部材１４が（図１ａに示すような）閉鎖状態と（図１ｂに示すような）開放状態との間で動けるように、互いにピボット連結される。
【００２２】
第１の部材１２および第２の部材１４は、髪１１の一部分を受けるように開放状態にされた後に、髪１１に係合するように閉鎖状態にされることにより、髪留１０を髪１１に対して固定する。閉鎖状態において、第１の部材１２および第２の部材１４それぞれの第１の表面１８が、互いに近付けられている。第１の部材１２および第２の部材１４の第１の表面１８は、髪留１０が開放状態にされるときに互いに遠去けられる。
【００２３】
図示の実施形態において、第１の部材１２は半球状の第１の殻体１３を備え、第２の部材１４は半球状の第２の殻体１５を備える。したがって、第１の殻体１３および第２の殻体１５の第１の表面１８は、凹状の形であり、反対側の第２の表面１９は、凸状の形である。閉鎖状態において、第１の殻体１３および第２の殻体１５の第１の表面１８は、略球状の隔室を画定する。第２の表面１９は、閉鎖状態において髪留１０の略球状の外壁を画定する。
【００２４】
第１の部材１２および第２の部材１４は、それらの第１の面１６の近傍でピボット連結される。第１の面１６間のピボット連結は、ヒンジ機構によってもたらされる。図示の実施形態において、ヒンジ機構は、第１の部材１２においてその第１の面１６の近傍に設けられた１つ以上の第１の円筒部２０と、第２の部材１４においてその第１の面１６の近傍に設けられた１つ以上の第２の円筒部２２とを備える。図示の実施形態において、単一の第１の円筒部２０および一対の第２の円筒部２２は、使用に際して、第１の円筒部２０が第２の円筒部２２同士の間に受けられるように設けられる。
【００２５】
第１の部材１２および第２の部材１４の第１の面１６同士が互いに近接して配置されるときに、第１の円筒部２０および第２の円筒部２２は、ピン２４を受ける共通穴を画定するように整列される。第１の部材１２および第２の部材１４は、ピボット連結を形成するようにピン２４を中心に枢着する。
【００２６】
第１の殻体１３および第２の殻体１５のそれぞれは、それらの対向する上端部および下端部の近傍に凹み部分２６を含む。凹み部分２６は、髪留１０が閉鎖状態にあるときに、凹み部分２６が第１の殻体１３および第２の殻体１５の上端部の近傍で円形の第１の開口２８ａを画定するように、かつ、髪留１０が閉鎖状態にあるときに、凹み部分２６が第１の殻体１３および第２の殻体１５の下端部の近傍で円形の第２の開口２８ｂを画定するように、略半円形状である。
【００２７】
髪留１０はまた、第１の部材１２および第２の部材１４を閉鎖状態に保持するような掛止機構を含む。図示の実施形態において、掛止機構は掛止部材３０を備える。掛止部材３０は、第１の殻体１３においてその第２の面１７の近傍に固定される。掛止部材３０は、第１の殻体１３の内表面において第２の面１７の近傍に設けられた第１の溝６４に受け入れられる第１の端部６０を有する細長部材を備える。
【００２８】
掛止部材３０はまた、第１の殻体１３の第２の面１７を越えて突出する第２の端部６２を含む。第２の殻体１５の第２の面１７は、掛止部材３０の第２の端部６２を受け入れるために第２の殻体の内表面に設けられた第２の溝６５を含む。掛止部材３０の第２の端部６２は、髪留１０が閉鎖状態にされるときに、第２の溝６５に設けられた対応する切欠き３２に弾性的に係合するように設けられた、その外面の突出部分６６を含む。
【００２９】
第１の部材１２には第１の弾性パッド３３が設けられ、第２の部材１４には第２の弾性パッド３５が設けられる。第１の弾性パッド３３および第２の弾性パッド３５のそれぞれは、対応する第１の殻体１３または第２の殻体１５の第１の表面１８に対して受けられるように配置される。したがって、第１の弾性パッド３３および第２の弾性パッド３５のそれぞれは、第１の殻体１３または第２の殻体１５の凹状の第１の表面１８に受けられる凸状の形の外表面３６を含む。第１の弾性パッド３３および第２の弾性パッド３５のそれぞれは、シリコーンなどの適当な弾性材料で作られる。
【００３０】
第１の弾性パッド３３および第２の弾性パッド３５は、第１の殻体１３および第２の殻体１５の第１の表面１８に固定される。図示の実施形態において、第１の表面１８には、そこから外側に延びる杭状部３８が設けられる。杭状部３８は、第１の弾性パッド３３および第２の弾性パッド３５を第１の殻体１３および第２の殻体１５に固定するために、第１の弾性パッド３３および第２の弾性パッド３５の外表面３６にある対応する孔３９に受け入れられる。
【００３１】
第１の弾性パッド３３および第２の弾性パッド３５それぞれの対向する内表面４０は、相補的な当接面を備える。つまり、第１の弾性パッド３３の内表面４０は、第２の弾性パッド３５の内表面４０にある対応する凹状部分に受け入れられる１つ以上の凸状部分を含む。図示の実施形態において、凸状部分は、凡そ第１の部材１２および第２の部材１４の第１の面１６の近傍から第２の面１７の近傍まで延びる隆起部４２を備える。つまり、隆起部４２は、髪が第１の開口２８ａから第２の開口２８ｂへと髪留１０を通過するであろう方向に対して垂直に延びる。
【００３２】
図示の実施形態において、隆起部４２の横断面は、第１の弾性パッド３３および第２の弾性パッド３５それぞれの内表面４０が、第１の開口２８ａおよび第２の開口２８ｂの中央を通る軸線を横切って延びる波形構造を備えるように弓状である。
【００３３】
第１の弾性パッド３３および第２の弾性パッド３５はまた、上端面および下端面４４を含む。第１の弾性パッド３３および第２の弾性パッド３５の上端面４４はそれぞれ、第１の部材１２および第２の部材１４が係合する前に凹状である。第１の弾性パッド３３および第２の弾性パッド３５の下端面４４もまた、第１の部材１２および第２の部材１４が係合する前に凹状である。第１の部材１２および第２の部材１４が互いに固定されるときに、第１の弾性パッド３３および第２の弾性パッド３５は互いに押圧され、上端面および下端面４４は、材料の弾性特性により外側に膨らんで、略平坦になる。
【００３４】
使用に際して、髪留１０は、髪１１を受けるために（図４ａに示すような）閉鎖状態から（図４ｂに示すような）開放状態にされる。髪１１の一部分が、次いで（図４ｃに示すように）第１の部材１２と第２の部材１４との間に置かれ、第１の部材１２および第２の部材１４は、（図４ｄに示すように）閉鎖状態に戻るように押圧される。
【００３５】
閉鎖状態において、弾性パッド３３および弾性パッド３５は、互いに押圧され、それにより、髪１１を固定するように力を加える。固定力が加えられると、弾性材料のグリップ特性および、髪１１が、（図６ｂに示すように）髪留１０を通って延びるときに隆起部４２を乗り越えることで方向を変化させることにより、髪１１に対する髪留１０の摺動に抵抗するような作用が生じる。したがって、髪留１０は、比較的容易かつ確実に髪１１に取り付けられる。殻体１３および殻体１５の外表面１９には、髪留１０が取り付けられる髪１１の見栄えを良くするために様々な彩色および／または装飾が施されてもよい。
【００３６】
図７から図９は、本発明による髪留１０の第２の実施形態を示している。髪留１０は、図１から図６の実施形態と同様であり、同様の参照数字が同様の部品を示すために使用される。
【００３７】
図７から図９の髪留１０は、その外表面に連結部５０を含む。連結部５０は、第１の殻体１３の第２の表面１９から外側に延びるループ状部５２を備える。ループ状部５２は、ループ状部５２が開口２８ａの近傍で第２の表面１９から離れて延びるように、凹み部分２６の近傍に配置される。
【００３８】
ループ状部５２は、（図９に見られるように）紐５４との連結のために設けられる。紐５４は、適当な材料から成りループ状の両端部５６を有する可撓性の細長部材を備える。ループ状の両端部５６は、図示するように、一対の髪留１０のループ状部５２に連結されてもよい。
【００３９】
紐５４は、髪に巻付または巻回できるリボンまたは他の装飾バンドを備えてもよい。取り付け可能な小飾りなどの装飾品が、紐５４に固定されてもよい。
【００４０】
本発明の基本的な発明概念から逸脱せずに、既に記述した変更および改良に加えて、様々な変更および改良を前述した実施形態に施し得ることは、関連分野の熟練者にとって容易に明らかであろう。
【図１ａ】
2019520124.tif 000003
【図１ｂ】
2019520124.tif 000004
【図２】
2019520124.tif 000005
【図３ａ】
2019520124.tif 000006
【図３ｂ】
2019520124.tif 000007
【図３ｃ】
2019520124.tif 000008
【図３ｄ】
2019520124.tif 000009
【図３ｅ】
2019520124.tif 000010
【図４ａ】
2019520124.tif 000011
【図４ｂ】
2019520124.tif 000012
【図４ｃ】
2019520124.tif 000013
【図４ｄ】
2019520124.tif 000014
【図５ａ】
2019520124.tif 000015
【図５ｂ】
2019520124.tif 000016
【図５ｃ】
2019520124.tif 000017
【図６ａ】
2019520124.tif 000018
【図６ｂ】
2019520124.tif 000019
【図７ａ】
2019520124.tif 000020
【図７ｂ】
2019520124.tif 000021
【図８ａ】
2019520124.tif 000022
【図８ｂ】
2019520124.tif 000023
【図９】
2019520124.tif 000024
【手続補正書】
【提出日】平成31年2月15日(2019.2.15)
【手続補正１】
【補正対象書類名】特許請求の範囲
【補正対象項目名】全文
【補正方法】変更
【補正の内容】
【特許請求の範囲】
【請求項１】
第１の部材および第２の部材であり、前記第１の部材の第２の面が前記第２の部材の第２の面の近傍に配置される閉鎖状態と、前記第１の部材の前記第２の面と前記第２の部材の前記第２の面が互いに遠去けられた開放状態との間で、前記第１の部材および前記第２の部材が枢動できるように、前記第１の部材の第１の面および前記第２の部材の第１の面の近傍でピボット固定された第１の部材および第２の部材と；
前記閉鎖状態にあるときに前記第１の部材と前記第２の部材との間に画定される第１の開口および第２の開口と；
前記第１の部材の第１の表面に設けられた第１の弾性パッドと；
前記第２の部材の近接する第１の表面に設けられた第２の弾性パッドと；
を備える髪留であって、
前記第１の弾性パッドおよび前記第２の弾性パッドが、前記第１の部材の前記第１の面および前記第２の部材の前記第１の面の近傍から前記第１の部材の前記第２の面および前記第２の部材の前記第２の面の近傍に延びる互いに近接する内表面にある相補的な隆起部を含み、前記第１の部材および前記第２の部材が閉鎖状態にあるときに、前記隆起部同士が、前記第１の開口から前記第２の開口へと前記髪留を通過する髪を曲げるように係合し、
前記隆起部の横断面が、前記第１の弾性パッドおよび前記第２の弾性パッドそれぞれの前記内表面が、前記第１の開口および前記第２の開口の中央を通る軸線を横切って延びる波形構造を備えるような弓形である、髪留。
【請求項２】
前記第１の部材が半球状の第１の殻体を備え、前記第２の部材が半球状の第２の殻体を備え、もって、前記第１の殻体の第１の表面および前記第２の殻体の第１の表面が凹状の形となっており、反対側の第２の表面が凸状の形となっている、請求項１に記載の髪留。
【請求項３】
前記第１の弾性パッドおよび前記第２の弾性パッドのそれぞれが、前記第１の殻体または前記第２の殻体の凹状の前記第１の表面に受け入れられるような凸状の形である外表面を含む、請求項２に記載の髪留。
【請求項４】
前記第１の弾性パッドおよび前記第２の弾性パッドが、前記第１の弾性パッドおよび前記第２の弾性パッドの外表面にある対応する孔に受け入れられるように前記第１の表面から外側に延びる杭状部により、前記第１の殻体の前記第１の表面および前記第２の殻体の前記第１の表面に固定されている、請求項３に記載の髪留。
【請求項５】
前記第１の弾性パッドおよび前記第２の弾性パッドがシリコーン材料で作られている、請求項１〜４のうちいずれか一項に記載の髪留。
【請求項６】
前記第１の弾性パッドの端部表面および前記第２の弾性パッドの端部表面がそれぞれ、前記第１の弾性パッドおよび前記第２の弾性パッドが互いに押圧されるときに、上端面および下端面が、材料の弾性特性によって外側に膨らみ、略平坦になるように、互いに係合する前に凹状である、請求項１〜５のうちいずれか一項に記載の髪留。
【請求項７】
前記第１の殻体および前記第２の殻体のそれぞれが、前記第１の殻体および前記第２の殻体の対向する端部の近傍に凹み部分を含み、もって、前記髪留が前記閉鎖状態にあるときに、前記凹み部分同士が円形の第１の開口および第２の開口を画定するようになっている、請求項１〜６のうちいずれか一項に記載の髪留。
【請求項８】
前記髪留が、前記第１の部材および前記第２の部材を前記閉鎖状態に保持するような掛止機構を含む、請求項１〜７のうちいずれか一項に記載の髪留。
【請求項９】
前記掛止部材が、前記第１の殻体の内表面において前記第２の面の近傍に設けられた第１の溝に受け入れられる第１の端部と、前記第２の殻体の内表面に設けられた第２の溝に受け入れ可能な突出する第２の端部とを有する細長部材を備える、請求項８に記載の髪留。
【請求項１０】
前記掛止部材の前記第２の端部が、前記髪留が前記閉鎖状態にされるときに、前記第２の溝に設けられた対応する切欠きに弾性的に係合する、前記第２の端部の外面にある突出部分を含む、請求項９に記載の髪留。
【請求項１１】
前記第１の部材において前記第１の部材の前記第１の面の近傍に設けられた１つ以上の第１の円筒部と、前記第２の部材において前記第２の部材の前記第１の面の近傍に設けられた１つ以上の第２の円筒部とを備え、前記第１の円筒部および前記第２の円筒部が、ピンを受けるように整列可能な穴を含むヒンジ機構により、前記第１の面間のピボット連結がもたらされる、請求項１〜１０のうちいずれか一項に記載の髪留。
【請求項１２】
前記髪留は、紐が一対の髪留間に延びることができるように、前記紐の端部を固定できる連結部を前記髪留の外表面に備える、請求項１〜１１のうちいずれか一項に記載の髪留。
【請求項１３】
前記連結部が、前記第１の殻体の前記第２の表面から外側に延びるループ状部を備える、請求項１２に記載の髪留。
【国際調査報告】
2019520124.tif 000025
2019520124.tif 000026
2019520124.tif 000027